(57)【特許請求の範囲】
【請求項１】
グリップを兼ねる本体ケース（１）の上部にかみそりヘッド（２）を有する電気かみそりであって、
本体ケース（１）の上部の前面に、指先を受止める指掛け凹部（３２）が長溝状に形成されており、
指掛け凹部（３２）が内凹み状の湾曲面で形成してあり、
本体ケース（１）の前面の上下に、上側の膨出部（２５）と下側の膨出部（２６）が上下間隔をあけた状態で膨出形成されており、
上側の膨出部（２５）の周縁に連続する裾部分に、指掛け凹部（３２）が内凹み状の湾曲面で形成してあり、
下側の膨出部（２６）の傾斜する周縁に沿って、母指球ないし手指を受止めるグリップ凹部（３３）が内凹み状の湾曲面で形成してあることを特徴とする電気かみそり。
【請求項２】
本体ケース（１）の上側の膨出部（２５）の表面と指掛け凹部（３２）の隣接縁（４７）が、本体ケース（１）のケース中心軸（Ｐ）に対して斜めに傾斜させてある請求項１に記載の電気かみそり。
【請求項３】
上側の膨出部（２５）の周縁が下突湾曲状に形成され、下側の膨出部（２６）の周縁が上突湾曲状に形成されており、
上側の膨出部（２５）の周縁に連続して指掛け凹部（３２）が形成され、下側の膨出部（２６）の周縁に連続してグリップ凹部（３３）が形成してある請求項１または２に記載の電気かみそり。
【請求項４】
上側の膨出部（２５）に設けた指掛け凹部（３２）と、下側の膨出部（２６）に設けたグリップ凹部（３３）が滑らかに連続させてあり、
指掛け凹部（３２）とグリップ凹部（３３）がＸ字状に連続している請求項３に記載の電気かみそり。
【請求項５】
下側の膨出部（２６）の周縁に沿ってグリップ凹部（３３）が周回状に形成してある請求項３または４に記載の電気かみそり。
【請求項６】
上側の膨出部（２５）と下側の膨出部（２６）の間に後凹み状の鞍部（２９）が形成してある請求項３から５のいずれかひとつに記載の電気かみそり。
【発明の詳細な説明】
【技術分野】
【０００１】
本発明は、グリップを兼ねる本体ケースとかみそりヘッドを備えている電気かみそりに関し、本体ケースのグリップ構造を改良したものである。
【背景技術】
【０００２】
本出願人は、グリップ部の保持や姿勢の変更などを容易に行って、ひげ剃り時の取扱いを軽快に行える電気かみそりを先に提案している（特許文献１）。そこでは、本体ケースの前後面の上部にＶ字状のラウンド部を膨出形成し、ラウンド部とケース表面の間に形成される斜めの指受面を、かみそり重心より上方に位置させている。使用時には、ラウンド部の下端の湾曲部分に親指をあてがった状態で本体ケースを前後から挟み持ち、親指以外の任意の指で本体ケースを左右方向へ軽快に傾動操作できる。また、前後のラウンド部を親指と人差し指で前後から挟み持った状態で、本体ケースを前後方向へ傾動することにより、本体ケースを前後方向へ傾動操作して、切断刃面をあごの肌面に沿わせることができる。
【先行技術文献】
【特許文献】
【０００３】
【特許文献１】特開２００４−２２２９８０号公報（段落番号００３４〜００３７、図１）
【発明の概要】
【発明が解決しようとする課題】
【０００４】
特許文献１の電気かみそりによれば、ラウンド部などのグリップ構造を設けていない電気かみそりに比べて、グリップ部の保持や姿勢の変更などを容易に行って、ひげ剃り時の取扱いを軽快に行うことができる。しかし、基本的に親指と人差し指をラウンド部の下端の湾曲部分にあてがった状態で、本体ケースを前後から挟み持つので、本体ケースを前後方向あるいは左右方向へ傾動するのに不足はないが、ユーザーによってさまざまに変化するグリップ態様に対応できない。そのため、電気かみそりをユーザーの思い通りに自在に操るのには充分とは言えない。また、指受面の断面が直線状の傾斜面で形成してあるので、親指や人差し指を意識して指受面に強くあてがわないと、親指や人差し指の腹が指受面に密着する状態で手指をフィットさせることはできない。
【０００５】
本発明の目的は、本体ケースを軽く握るだけで手指をグリップ構造にフィットさせて、本体ケースを確りと保持し安定した状態でひげ剃りを行うことができる電気かみそりを提供することにある。
本発明の目的は、ユーザーによってさまざまに変化するグリップ態様に対応しながら、本体ケースを適正かつ確りと保持して、ユーザーの思い通りに自在に操ることができる電気かみそりを提供することにある。
【課題を解決するための手段】
【０００６】
本発明に係る電気かみそりは、グリップを兼ねる本体ケース１の上部にかみそりヘッド２を有する。図１および図１１に示すように本体ケース１の上部の前面に、指先を受止める指掛け凹部３２を長溝状に形成する。図５に示すように指掛け凹部３２は内凹み状の湾曲面で形成してある。
【０００７】
本体ケース１の表面と指掛け凹部３２の隣接縁４７は、本体ケース１のケース中心軸Ｐに対して斜めに傾斜させる。
【０００８】
図１に示すように、本体ケース１の上部の前面に、膨出部２５を膨出形成する。膨出部２５の周縁に連続する裾部分に、指掛け凹部３２を内凹み状の湾曲面で形成する。
【０００９】
本体ケース１の前面の上下に、上側の膨出部２５と下側の膨出部２６を、上下間隔をあけた状態で膨出形成する。下側の膨出部２６の傾斜する周縁に沿って、母指球ないし手指を受止めるグリップ凹部３３を内凹み状の湾曲面で形成する。
【００１０】
上側の膨出部２５の周縁は下突湾曲状に形成し、下側の膨出部２６の周縁は上突湾曲状に形成する。上側の膨出部２５の周縁に連続して指掛け凹部３２を形成し、下側の膨出部２６の周縁に連続してグリップ凹部３３を形成する。
【００１１】
上側の膨出部２５に設けた指掛け凹部３２と、下側の膨出部２６に設けたグリップ凹部３３を滑らかに連続させる。指掛け凹部３２とグリップ凹部３３はＸ字状に連続している。
【００１２】
下側の膨出部２６の周縁に沿ってグリップ凹部３３を周回状に形成する。
【００１３】
図２に示すように、上側の膨出部２５と下側の膨出部２６の間に後凹み状の鞍部２９を形成する。
【００１４】
鞍部２９の横断面は前突状の波形に形成して、波形の前突縁に沿って後凹み状の湾曲面からなる尾根部４５を形成する。
【００１５】
本体ケース１の後面に、前記鞍部２９に対応する後くびれ部２８を形成する。尾根部４５の曲率は、前記後くびれ部２８の曲率より大きく設定する。
【００１６】
図１に示すように、本体ケース１の左右に横くびれ部２７を形成する。横くびれ部２７と指掛け凹部３２の間に横指掛け部３６を形成する。
【００１７】
横指掛け部３６は上下に長い花弁状に形成する（図２、図３参照）。指掛け凹部３２と横指掛け部３６の隣接縁に、前突状に湾曲する指受段部４２を形成する。
【００１８】
上側の膨出部２５の表面に、後凹み状の湾曲面からなる親指用指掛け凹部３５を形成する（図１参照）。
【００１９】
親指用指掛け凹部３５の曲率は、指掛け凹部３２の曲率より小さく設定する。
【００２０】
図８に示すように、親指用指掛け凹部３５にリブ状の滑止め体３８の一群を形成する。親指用指掛け凹部３５の上端に滑止め段部３９を形成する。滑止め段部３９の長さＴを、滑止め体３８のリブ高さｔより大きく設定する。
【発明の効果】
【００２１】
本発明に係る電気かみそりにおいては、本体ケース１の上部の前面に長溝状の指掛け凹部３２を形成し、同凹部３２を内凹み状の湾曲面で形成した。このように、指掛け凹部３２を内凹み状の湾曲面で形成すると、指受面が直線状の傾斜面で形成してある場合に比べて、指掛け凹部３２の表面積を大きくでき、しかも、指の腹や母指球を内凹み状の指掛け凹部３２に密着する状態でしっくりとフィットさせることができる。従って、本発明の電気かみそりによれば、本体ケース１を軽く握るだけで手指をグリップ構造にフィットさせて、本体ケース１を確りと保持し安定した状態でひげ剃りを行うことができる。また、本体ケース１を確りと保持できるので、本体ケース１の姿勢をユーザーの思い通りに自在に操ることができ、電気かみそりの取扱い性を向上できる。指掛け凹部３２を長溝状に形成するので、手指を指掛け凹部３２にあてがうときの、手指の位置や姿勢を好みに応じて変化させることができる利点もある。
【００２２】
本体ケース１の表面と指掛け凹部３２の隣接縁４７を、本体ケース１のケース中心軸Ｐに対して斜めに傾斜させると、電気かみそりの姿勢を前後、左右、上下、あるいは斜め方向に傾動するとき、手指が滑ろうとするのを指掛け凹部３２の縁で受止めることができる。従って、本体ケース１の姿勢変更をより的確に行って、電気かみそりの取扱い性をさらに向上できる。
【００２３】
本体ケース１に膨出形成した膨出部２５の裾部分に、内凹み状の湾曲面からなる指掛け凹部３２を形成すると、親指を除く４指と母指球で本体ケース１を握った標準的なグリップ態様において、親指を指掛け凹部３２に自然にあてがって、かみそりヘッド２の前面をユーザーと正対させることができる。膨出部２５の周縁に沿って内凹み状の指掛け凹部３２を形成するので、膨出部２５が膨出してあることを強調して、膨出部２５の立体感を増すことができ、従来にないメリハリの効いたデザイン効果を発揮できる利点がある。
【００２４】
本体ケース１の上下に上側の膨出部２５と下側の膨出部２６を膨出形成し、下側の膨出部２６のラウンド周縁に沿って、内凹み状の湾曲面からなるグリップ凹部３３を形成すると、先の標準的なグリップ態様において、母指球、あるいは親指と人差し指を除く３指を、グリップ凹部３３に密着する状態でしっくりとフィットさせることができる。従って、様々なグリップ態様において、手指、母指球、あるいは掌などを指掛け凹部３２とグリップ凹部３３に密着させて、本体ケース１をさらに確実に保持して、安定した状態でひげ剃りを行うことができる。また、母指球あるいは掌が手指と協同した状態で、本体ケース１の姿勢を変更できるので、電気かみそりの取扱い性をさらに向上できる。
【００２５】
下突湾曲状に形成した上側の膨出部２５の周縁と、上突湾曲状に形成した下側の膨出部２６の周縁のそれぞれに、指掛け凹部３２とグリップ凹部３３を形成すると、利き腕が異なる場合でも、等しく本体ケース１の姿勢を変更できるので、電気かみそりの取扱い性を向上できる。また、本体ケース１を片手で握る場合に、ユーザーの好みに応じて、より多様なグリップ態様で本体ケース１を握ることができる。例えば図１１（ａ）に示すように、親指と人差し指で本体ケース１を左右からつまむようにして支持するグリップ態様において、親指と人差し指をグリップ凹部３３に密着させて、本体ケース１をしっかりと保持した状態でひげ剃りを行うことができる。
【００２６】
指掛け凹部３２とグリップ凹部３３をＸ字状に滑らかに連続させるグリップ構造によれば、両凹部３２・３３の交差部分に親指を密着する状態でフィットさせて、本体ケース１をさらに多様なグリップ態様で握ることができる。また、ユーザーによってさまざまに変化するグリップ態様に対応できるので、本体ケース１を適正かつ確りと保持して、ユーザーの思い通りに自在に電気かみそりを操ることができる。
【００２７】
下側の膨出部２６の周縁に沿ってグリップ凹部３３を周回状に形成すると、先の標準的なグリップ態様において、母指球、あるいは親指と人差し指を除く３指を、グリップ凹部３３に密着する状態でフィットさせることができる。従って、様々なグリップ態様において、本体ケース１を確実に保持して、安定した状態でひげ剃りを行うことができる。
【００２８】
上側の膨出部２５と下側の膨出部２６の間に後凹み状の鞍部２９を形成すると、鞍部２９の左右両側において指掛け凹部３２とグリップ凹部３３を滑らかに連続させることができる。従って、両凹部３２・３３の連続面にあてがった親指や人差し指を、鞍部２９の左右両側に密着する状態でフィットさせることができる。
【００２９】
鞍部２９を横断面波形に形成し、波形の前突縁に沿って後凹み状の尾根部４５を形成すると、鞍部２９の左右両側の湾曲面の境界を明確化して、そのいずれか一方の湾曲面に親指や人差し指をあてがって、本体ケース１の姿勢変更をより的確に行うことができる。
【００３０】
尾根部４５の曲率を後くびれ部２８の曲率より大きく設定すると、尾根部４５が鞍部２９の左右の斜面の境界であることをさらに明確化して、鞍部２９の左右の湾曲面に対する親指の引っ掛かりを良くして、本体ケース１の姿勢を変更するときの取扱い性を向上できる。なお、後くびれ部２８の曲率が尾根部４５の曲率より小さいと、握り柄部４３を母指球と親指以外の４指で前後に握った状態において、人差し指や薬指を後くびれ部２８になじんだ状態で、握り柄部４３の広い範囲を確りと保持できる。
【００３１】
横くびれ部２７と指掛け凹部３２の間に横指掛け部３６を形成すると、親指の腹と人差し指の腹を一対の横指掛け部３６に密着させて、本体ケース１を左右からつまむようにして保持でき、従来の電気かみそりに比べて、本体ケース１を確りと保持して安定した状態でひげ剃りを行える。
【００３２】
横指掛け部３６が上下に長い花弁状に形成してあると、親指の腹と人差し指の腹を左右の横指掛け部３６のほぼ全面にフィットし密着させて、本体ケース１を左右からつまむようにしてしっかりと保持できる。また、本体ケース１を保持した状態において、親指および人差し指を指受段部４２で受止めて、親指および人差し指が滑るのを防止できるので、従来の電気かみそりに比べて、本体ケース１を確りと保持して安定した状態でひげ剃りを行える。
【００３３】
上側の膨出部２５に、後凹み状の湾曲面からなる親指用指掛け凹部３５を形成すると、親指の腹を親指用指掛け凹部３５にフィットし密着させて、手指及び母指球で本体ケース１を確りと保持できるので、さらに安定した状態でひげ剃りを行える。本体ケース１の姿勢を変更するとき、親指が滑り動くこともない。
【００３４】
親指用指掛け凹部３５の曲率を指掛け凹部３２の曲率より小さく設定するのは、親指用指掛け凹部３５の湾曲度合いを、親指の腹の丸みより大きくして、親指を親指用指掛け凹部３５に押付けた状態において、親指の腹を大きく変形させて、親指用指掛け凹部３５により大きな面積で密着させ、本体ケース１をさらに確りと保持するためである。
【００３５】
親指用指掛け凹部３５に滑止め体３８の一群を形成し、親指用指掛け凹部３５の上端に滑止め段部３９を形成すると、親指の腹を滑止め体３８と滑止め段部３９に同時に密着させて、本体ケース１を確りと保持できる。また、滑止め段部３９の長さＴを、滑止め体３８のリブ高さｔより充分に大きく設定しておくと、滑止め段部３９の傾斜面および傾斜上縁に親指の腹を押し付けることにより、本体ケース１をさらに確りと保持できる。
【図面の簡単な説明】
【００３６】
【図１】本発明に係る電気かみそりの正面図である。
【図２】本発明に係る電気かみそりの側面図である。
【図３】本発明に係る電気かみそりの分解側面図である。
【図４】内刃の駆動構造の概略を示す説明図である。
【図５】グリップケースの正面図および断面図である。
【図６】図１におけるＡ−Ａ線断面図である。
【図７】図１におけるＢ−Ｂ線断面図である。
【図８】図１におけるＣ−Ｃ線断面図である。
【図９】使用時における電気かみそりのグリップ態様を示す説明図である。
【図１０】使用時における電気かみそりの別のグリップ態様を示す説明図である。
【図１１】使用時における電気かみそりの別のグリップ態様を示す説明図である。
【図１２】グリップ構造の変形例を示す電気かみそりの正面図である。
【発明を実施するための形態】
【００３７】
（実施例１）  図１ないし図１１は、本発明をロータリー式の電気かみそりに適用した実施例１を示す。本発明における前後、左右、上下とは、図１および図２に示す交差矢印と、矢印の近傍の前後・左右・上下の表記に従う。図１および図２において電気かみそりは、グリップを兼ねる本体ケース１と、その上部に設けたかみそりヘッド２を備えており、本体ケース１の内部にモーター３および２次電池４を配置し、かみそりヘッド２に内刃５および外刃６を配置して構成してある。図４に示すようにモーター３の回転動力は、ギヤトレイン７で減速されたのち、タイミングベルトを伝動要素とする巻掛け伝動機構８を介して内刃５へ伝動される。図３に示すように、ギヤトレイン７および巻掛け伝動機構８とモーター３は、かみそりヘッド２のヘッドフレームに組付けてある。常態におけるかみそりヘッド２は、図２に示すように、本体ケース１の垂直中心軸に対して前傾した状態で支持されており、この状態から前傾角度が増す側へ前傾可能であり、左右一対のばねで前傾角度が減る向きへ復帰付勢してある。図３および図４において符号９は制御基板であり、その前面にはスイッチボタン１０で切換え操作される電源スイッチ１１や複数のＬＥＤ１２などが実装してある。
【００３８】
図３において本体ケース１は、前後に分割された前ケース１５および後ケース１６と、前ケース１５の前面を覆うグリップケース１７で構成してあり、前後ケース１５・１６の分割線に沿ってグリップケース１７が前ケース１５の表面を覆っている。前ケース１５は、上下に分割した前上ケース１５ａと、前下ケース１５ｂで構成してあり、後ケース１６に対してビス１８で固定してある。グリップケース１７は、その上部および上下中途部が前ケース１５に係合された状態で、ケース下端が後ケース１６の側からねじ込んだビス１９で後ケース１６に固定してある。グリップケース１７の下部には上部および下部が尖った舟形のスイッチパネル２０が配置されて、その上端寄りにスイッチボタン１０が配置してある。本体ケース１の後面側には、きわ剃り刃２１と、きわ剃り刃２１を駆動位置へ押し上げ操作するスライドノブ２２が設けてある。
【００３９】
使用時において、電気かみそりを片手で握った時の握りやすさとフィットしやすさを向上し、さらに電気かみそりの取扱い性（ハンドリング性）を向上するために、本体ケース１にグリップ構造を設けている。グリップ構造は、グリップケース１７の表面に上下間隔をあけた状態で膨出形成した矢尻形の上側の膨出部２５と、スイッチパネル２０の周囲を囲む舟形の下側の膨出部２６と、横くびれ部２７および後くびれ部２８などで構成する。スイッチパネル２０の表面は、下側の膨出部２６の前表面を兼ねている。
【００４０】
図１に示すように横くびれ部２７は、グリップケース１７および後ケース１６の左右側面に形成した内凹み状の湾曲面からなる。図２に示すように後くびれ部２８は、後ケース１６の後面に形成した前凹み状の湾曲面からなり、横くびれ部２７と後くびれ部２８は滑らかに連続している。矢尻形の上側の膨出部２５の周縁が下突湾曲状に形成してあるのに対して、舟形の下側の膨出部２６の周縁は上突湾曲状に形成されており、両膨出部２５・２６の間に後凹み状の鞍部２９が形成してある。上突湾曲状に形成した下側の膨出部２６の周縁のうち、最上端に位置する上突部５０は、横くびれ部２７のくびれ中心位置より下側に位置させてある。これは、図１１に示すグリップ態様において、下側の膨出部２６の上突湾曲部の両側に人差し指と親指をあてがいやすくし、中指の腹を横指掛け部３６と指受段部４２にあてがいやすくするためである。図７に示すように鞍部２９の横断面は前突状の波形に形成し、波形の前突縁に沿って後凹み状の湾曲面からなる尾根部４５を形成する。
【００４１】
本体ケース１は、例えば図９、図１０、および図１１に示すようなグリップ態様で握られる。こうした各種のグリップ態様において、より好適なグリップ態様で本体ケース１を握り、電気かみそりの取扱い性を向上するために、上下の膨出部２５・２６の周囲の裾部分や横くびれ部２７などに、手指を受止める凹部や指掛け部を設けている。また、この実施例では、上下の膨出部２５・２６の周囲や横くびれ部２７に、先の凹部や指掛け部を左右対称に設けて、利き腕の左右の違いにも対応できるようにした。
【００４２】
具体的には図５に示すように、上側の膨出部２５の周縁に連続する裾部分に、主に親指を受止めるための指掛け凹部３２を長溝状に形成し、下側の膨出部２６の周縁に沿って、親指以外の手指と母指球、あるいは掌の一部を受止めるグリップ凹部３３を周回状に形成している。また、図１に示すように、上側の膨出部２５の表面の上部に上拡がり状の膨出壁３４を形成し、その中央に内凹み状の湾曲面からなる親指用指掛け凹部３５を形成した。図３に示すように親指用指掛け凹部３５は、前上ケース１５ａと一体に形成してあり、膨出壁３４に形成した開口から露出させてある。さらに、横くびれ部２７と指掛け凹部３２の間に、親指と人差し指を受止める横指掛け部３６を形成している。
【００４３】
図５に示すように指掛け凹部３２は内凹み状の湾曲面で形成してあり、同様にグリップ凹部３３は内凹み状の湾曲面で形成してある。そのため、図９（ａ）および図９（ｂ）に示すグリップ態様においては、親指の腹（指紋のある側）を指掛け凹部３２にフィットさせ、同時に母指球、あるいは中指、薬指、小指の腹をグリップ凹部３３に密着させることができる。図１に示すように、上側の膨出部２５と指掛け凹部３２の隣接縁４７、および指掛け凹部３２の殆どの部分は、ケース中心軸Ｐに対して斜めに傾斜させてあり、しかも同凹部３２は内凹み状に形成してある。そのため、かみそりヘッド２の姿勢を肌面の変化に追随して変更するとき、親指を指掛け凹部３２に密着した状態のままで、本体ケース１を前後あるいは左右へ自由に、しかも確実に傾動操作することができる。また、かみそりヘッド２の姿勢を変更するとき、親指が滑って指掛け凹部３２から分離することもない。
【００４４】
図６、図８に示すように、親指用指掛け凹部３５は後凹み状の湾曲面で形成されて、正面視が楯形に形成してある。親指用指掛け凹部３５にはリブ状の滑止め体３８の一群が多段状に形成してあり、親指用指掛け凹部３５の上端には傾斜する滑止め段部３９が形成してある。図１０（ａ）に示すグリップ態様においては、親指の腹を滑止め体３８と滑止め段部３９に同時に密着させることができるので、本体ケース１を確りと保持して安定した状態でひげ剃りを行える。図８に示すように、親指用指掛け凹部３５から滑止め段部３９の傾斜上端までの長さＴは、滑止め体３８のリブ高さｔより充分に大きく設定してあるので、その滑止め段部３９の傾斜面および傾斜上縁に親指の腹を押し付けることにより、本体ケース１をさらに確りと保持できる。
【００４５】
親指用指掛け凹部３５の曲率は、先の指掛け凹部３２の曲率より小さく設定してある。これは、親指用指掛け凹部３５の湾曲度合いを、親指の腹の丸みより大きくして、親指を親指用指掛け凹部３５に押付けた状態において、親指の腹を大きく変形させて、親指用指掛け凹部３５により大きな面積で密着させるためである。
【００４６】
図２、図３に示すように横指掛け部３６は、側面側から見て上下に長い花弁状に形成されている。横指掛け部３６と指掛け凹部３２の隣接縁には指受段部４２が形成してあり、この指受段部４２は前突状の湾曲面で形成してある。本体ケース１を正面から見るときの横指掛け部３６は、横くびれ部２７の外郭線に沿って湾曲している。図１０（ｂ）に示すグリップ態様においては、親指の腹と人差し指の腹を一対の横指掛け部３６に密着させて、本体ケース１を左右からつまむようにして保持できるので、従来の電気かみそりに比べて、本体ケース１を確りと保持して安定した状態でひげ剃りを行える。このグリップ態様においては、親指および人差し指が指受段部４２で受止められるので、親指および人差し指が滑るのを防止して、本体ケース１をしっかりと保持できる。また、親指および人差し指の腹が横指掛け部３６のほぼ全面に密着する状態でフィットさせることができる。なお、横指掛け部３６はグリップケース１７と一体に形成してある。
【００４７】
後くびれ部２８は鞍部２９の形成位置に対応して形成されており、後くびれ部２８の上側にスライドノブ２２が配置してある。横くびれ部２７および後くびれ部２８の下側は握り柄部４３になっており、中指、薬指、小指と、掌あるいは母指球で握り柄部４３を掴むことにより、本体ケース１を確りと握り保持できる。握り柄部４３を片手で掴んだ状態において、中指、薬指、小指および掌等の手指が滑るのを防ぐために、左右の横くびれ部２７の下側に滑止め溝４４が多段状に形成してある。
【００４８】
図２に示すように、鞍部２９は側面視において後凹み状の湾曲面で形成されて、その縦断面の前面が後凹み状の湾曲面で形成してある。また、図７に示すように、鞍部２９の横断面は前突状の波形に形成してあり、波形の前突縁に沿って、前突端が丸められた後凹み状の湾曲面からなる尾根部４５が形成してある。このように、上側の膨出部２５と下側の膨出部２６の間に、湾曲する３次元平面からなる鞍部２９を設けることにより、上側の膨出部２５側に設けた指掛け凹部３２と、下側の膨出部２６に設けたグリップ凹部３３は、鞍部２９を介して滑らかに連続する。また、指掛け凹部３２とグリップ凹部３３は、尾根部４５においてＸ字状に連続して滑らかにつながっている。
【００４９】
因みに、尾根部４５の横断面における曲率は、後くびれ部２８の横断面における曲率より大きく設定してある。これは、尾根部４５が鞍部２９の左右の斜面の境界であることを明確化して、鞍部２９の左右の斜面に対する親指の引っ掛かりを良くして、本体ケース１の姿勢を変更するときの取扱い性を向上するためである。また、後くびれ部２８の曲率が小さいと、握り柄部４３を母指球と親指以外の４指で前後に握った状態において、人差し指や薬指を後くびれ部２８になじんだ状態で確りと保持できるからである。
【００５０】
以上のように構成した電気かみそりによれば、本体ケース１を軽く握るだけで手指をグリップ構造にフィットさせて、種々のグリップ態様において、本体ケース１を確りと保持して、安定した状態でひげ剃りを行うことができる。また、指掛け凹部３２を利用して適正なグリップ態様で本体ケース１を握る場合と、指掛け凹部３２を利用しないまま本体ケース１を握る場合とを比較することにより、両者でフィット感が大きく異なり、前者のグリップ態様において本体ケース１を確りと保持できることを、ユーザーに実感してもらうことができる。
【００５１】
図９（ａ）に示すグリップ態様においては、中指、薬指、小指と、母指球および掌で握り柄部４３を握り保持し、さらに親指と人差し指で指掛け凹部３２と横指掛け部３６を保持して、本体ケース１を確りと保持し、かみそりヘッド２の前面をユーザーと正対させることができる。この状態の中指、薬指、小指の腹と、母指球は、グリップ凹部３３にフィットし密着しており、親指の腹は図９（ａ）に向かって右側の指掛け凹部３２および隣接縁４７に、人差し指は図９（ａ）に向かって左側の横指掛け部３６および横くびれ部２７に、それぞれフィットし密着するので、本体ケース１を確りと保持することができる。
【００５２】
手指の長さはユーザーによって差があるが、こうした状況に対応するために、指掛け凹部３２およびグリップ凹部３３は、上下の膨出部２５・２６の周縁に沿って長溝状に形成してある。そのため、手指を指掛け凹部３２およびグリップ凹部３３の上下方向のいずれかの部分にフィットし密着させて、手指の長さに差がある場合でも、本体ケース１を確りと保持することができる。なお、図９（ａ）に示すグリップ態様においては、親指の腹を鞍部２９の右側斜面にあてがい、残る４指と母指球で握り柄部４３を前後に握り保持することにより、本体ケース１を確りと保持して、かみそりヘッド２の前面をユーザーと正対させることができる。
【００５３】
図９（ｂ）に示すグリップ態様においては、中指、薬指、小指と、母指球および掌で握り柄部４３を握り保持し、さらに親指で指掛け凹部３２を保持して、本体ケース１を確りと保持した状態で、かみそりヘッド２の前面をユーザーと正対させることができる。この状態の母指球は下側の膨出部２６の表面に密着しており、親指の腹は図９（ｂ）に向かって左側の指掛け凹部３２および隣接縁４７にフィットし密着するので、本体ケース１を確りと保持することができる。なお、図９（ｂ）に示すグリップ態様においては、親指の腹を横指掛け部３６にフィットし密着させた状態にして、本体ケース１を斜めに傾斜した姿勢で確りと保持することができる。その場合には、掌で握り柄部４３を前面側から包むようにして握り保持するとよい。
【００５４】
図１０（ａ）に示すグリップ態様においては、人差し指、中指、薬指、小指と、母指球で握り柄部４３を前後に握り保持し、さらに親指の腹を親指用指掛け凹部３５にあてがって、本体ケース１を確りと保持した状態で、かみそりヘッド２の前面をユーザーと正対させることができる。この状態の握り柄部４３は、親指を除く４指と母指球で前後に握り保持され、さらに親指の腹が親指用指掛け凹部３５にフィットし密着するので、本体ケース１を確りと保持することができる。
【００５５】
図１０（ｂ）に示すグリップ態様においては、親指の腹と人差し指の腹を一対の横指掛け部３６にフィットし密着させて、本体ケース１を左右からつまむようにして保持できる。また、親指と人差し指の付け根の分岐部分で、握り柄部４３の後面を支持して、本体ケース１を３点支持状に確りと保持して、安定した状態でひげ剃りを行える。このグリップ態様において、指受段部４２は親指の腹および人差し指の腹に密着して両指が滑るのを防止する。
【００５６】
図１１（ａ）に示すグリップ態様においては、下側の膨出部２６の上突湾曲部の両側に人差し指と親指をあてがい、人差し指側の横指掛け部３６と指受段部４２に中指の腹をあてがい、薬指で後くびれ部２８を支持して、本体ケース１を確りと保持した状態でかみそりヘッド２を上向きに保持できる。このペン持状のグリップ態様は、図１１（ｂ）に示すように顎の下面側のひげを剃るのに適しており、他のグリップ形態に比べて、かみそりヘッド２を顎の曲面の変化に追随して密着させることができる。
【００５７】
ユーザーによっては、図９ないし図１１に示していないグリップ態様で、本体ケース１を握ることがある。その場合には、例えば、上下の膨出部２５・２６と、指掛け凹部３２あるいはグリップ凹部３３の双方にまたがる状態、即ち、ぐら付きやすく不安定な状態で、手指の腹がグリップケース１７に密着する。あるいは、手指の腹が指掛け凹部３２と横指掛け部３６の双方にまたがる不安定な状態でグリップケース１７に密着する。こうしたグリップ態様では、手指の腹はより安定した接触面の側、つまりフィットしやすい指掛け凹部３２、グリップ凹部３３、横指掛け部３６のいずれかに密着する傾向がある。そのため、本体ケース１を握った当初の状態が不安定な状態であったとしても、いずれは握りやすい適正なグリップ態様で本体ケース１を握ることができる。
【００５８】
図１２（ａ）〜（ｄ）は、それぞれ本発明に係るグリップ構造の変形例を示しており、そこでは、上下の膨出部２５・２６や横くびれ部２７を省略して本体ケース１を形成している。図１２（ａ）においては、本体ケース１の前面の左右に一対の指掛け凹部３２を、ケース中心軸Ｐに対して斜めに傾斜する状態で長溝状に形成した。このように、指掛け凹部３２が傾斜するのに伴って、本体ケース１のケース表面と指掛け凹部３２の隣接縁４７もケース中心軸Ｐに対して斜めに傾斜する。指掛け凹部３２は内凹み状、あるいは後凹み状の湾曲面で形成してある。本体ケース１を握った状態では、親指の腹と、人差し指の第１関節の内面が左右の指掛け凹部３２および隣接縁４７の上部にフィットし密着し、さらに母指球と掌の一部が左右の指掛け凹部３２の下部に密着する状態で、本体ケース１を確りと保持することができる。
【００５９】
図１２（ｂ）においては、本体ケース１の上部に直線状の指掛け凹部３２を設け、本体ケース１の下部に直線状のグリップ凹部３３を、それぞれケース中心軸Ｐに対して斜めに傾斜する状態で長溝状に形成した。指掛け凹部３２とグリップ凹部３３は、逆向きに傾斜させてある。本体ケース１を握った状態では、親指の腹が指掛け凹部３２および隣接縁４７の上部にフィットし密着し、さらに母指球の一部がグリップ凹部３３に密着する状態で、本体ケース１を確りと保持することができる。
【００６０】
図１２（ｃ）においては、本体ケース１の正面の上部に指掛け凹部３２をＵ字溝状に形成した。Ｕ字溝状の内大半の部分と隣接縁４７はケース中心軸Ｐに対して斜めに傾斜している。本体ケース１を握った状態では、親指の腹が指掛け凹部３２の上部の凹部端にフィットし密着する状態で、本体ケース１を確りと保持することができる。
【００６１】
図１２（ｄ）においては、本体ケース１の上部に指掛け凹部３２を、たすき掛け状に形成し、本体ケース１の下部に逆Ｕ字状のグリップ凹部３３を形成した。逆Ｕ字状のグリップ凹部３３の大半の部分と、指掛け凹部３２および隣接縁４７は、ケース中心軸Ｐに対して斜めに傾斜している。本体ケース１を握った状態では、親指の腹が指掛け凹部３２の上部にフィットし密着し、さらに母指球の一部が、湾曲するグリップ凹部３３の多くの部分に密着する状態で、本体ケース１を確りと保持することができる。
【００６２】
上記の実施例では、指掛け凹部３２を上側の膨出部２５の周縁に沿って左右対称に設けたがその必要はなく、上側の膨出部２５の周縁の左右いずれか一側にのみ形成してあってもよい。同様にグリップ凹部３３は、下側の膨出部２６の周縁の左右いずれか一側にのみ形成してあってもよい。さらに、グリップ凹部３３は下側の膨出部２６の周縁に沿って周回状に形成する必要はなく、下側の膨出部２６の傾斜するラウンド周縁に沿って馬蹄形状に形成してあってもよい。グリップケース１７は省略することができ、その場合には、前ケース１５に上下の膨出部２５・２６や横くびれ部２７などを設けるとよい。
【００６３】
上記の実施例では、本体ケース１の上下中途部に、鞍部２９に対応して横くびれ部２７と後くびれ部２８を設けるようにしたがその必要はなく、本体ケース１は図１１において説明したように、鞍部２９および両くびれ部２７・２８を省略した構造であってもよい。本発明の適用対象は、ロータリー式の電気かみそり以外に、レシプロ式の電気かみそりや、縦軸回りに内刃を駆動する縦軸回転刃構造の電気かみそりなどにも適用できる。また、外刃を備えておらず、内刃のみでひげ切断を行う電気かみそりにも適用できる。電気かみそりは、かみそりヘッド２が前後や左右に傾動する構造である必要はなく、本体ケース１に対してかみそりヘッド２が傾動不能に固定してある電気かみそりであってもよい。
【符号の説明】
【００６４】
１  本体ケース
２  かみそりヘッド
１７  グリップケース
２５  上側の膨出部
２６  下側の膨出部
２７  横くびれ部
２８  後くびれ部
２９  鞍部
３２  指掛け凹部
３３  グリップ凹部
３５  親指用指掛け凹部
３６  横指掛け部
４５  尾根部
Ｐ  ケース中心軸
【図１】
0006444214.tif 000002
【図２】
0006444214.tif 000003
【図３】
0006444214.tif 000004
【図４】
0006444214.tif 000005
【図５】
0006444214.tif 000006
【図６】
0006444214.tif 000007
【図７】
0006444214.tif 000008
【図８】
0006444214.tif 000009
【図９】
0006444214.tif 000010
【図１０】
0006444214.tif 000011
【図１１】
0006444214.tif 000012
【図１２】
0006444214.tif 000013